(57)【要約】【課題】  良好な動作感触を得ることができ、薄形、かつ、安価で組み立て容易な横押しタイプの押釦スイッチを提供する。【解決手段】  スイッチ接点を底部に設置した収納部１ａを有する絶縁性のハウジング１と、ハウジングの側部より外部へ突出する押圧部８ａ及び押圧部から収納部内に突出する片持ち梁構造の作動部８ｂを有する絶縁性の操作部材８と、収納部に収納されて操作部材を押圧部の押圧方向に移動案内する絶縁性のガイド部材９と、収納部を覆う金属板製の蓋体７とを備え、ガイド部材が作動部と向き合って突出する駆動部９ｄを有し、駆動部が作動部の先端側に蓋体側から当接して押圧部の押圧を可動接点方向に変換する傾斜部９ｇを設ける。【選択図】  図２
2009070671.tif 000002
【特許請求の範囲】
【請求項１】
収納部を有する絶縁性のハウジングと、前記収納部の底部に設けられた固定接点と、前記固定接点の上に設置された可動接点と、前記収納部に摺動可能に収納され、前記ハウジングの側部より外部へ突出する押圧部及びこの押圧部から前記収納部内に突出する片持ち梁構造の作動部を有する絶縁性の操作部材と、前記収納部に収納され、前記操作部材を前記押圧部の押圧方向に移動案内する絶縁性のガイド部材と、前記ハウジングに取り付けられて前記収納部を覆う金属板製の蓋体とを備えた押釦スイッチであって、前記ガイド部材が、前記作動部と向き合って突出する駆動部を有し、前記駆動部が、前記作動部の先端側に前記蓋体側から当接して前記押圧部の押圧を可動接点方向に変換する傾斜部を設けることを特徴とする押釦スイッチ。
【請求項２】
前記ガイド部材が、前記押圧部の押圧方向に沿って延設するガイド部を有し、前記操作部材が、前記押圧部の押圧方向に沿って延設し、前記ガイド部の上で前記押圧部の押圧方向に摺動するスライド部を有することを特徴とする請求項１に記載の押釦スイッチ。
【請求項３】
前記可動接点はドーム状金属板からなり、該可動接点が前記固定接点の上に上下２段に設置され、上側可動接点の外周部の底部側及び下側可動接点の外周部と中心部の底部側の３箇所に異なる固定接点を設けたことを特徴とする請求項１又は請求項２に記載の押釦スイッチ。
【発明の詳細な説明】
【技術分野】
【０００１】
本発明は、例えば携帯電話，デジタルカメラ，携帯音楽プレーヤ，ＰＤＡ等の携帯型電子機器に使用される薄形で横押しタイプの押釦スイッチに関する。
【背景技術】
【０００２】
従来、横方向（水平方向）からの押圧を縦方向（垂直方向）に変換する横押しタイプの押釦スイッチが知られている。この従来の押釦スイッチの一例として特許文献１に記載の押釦スイッチを図９〜図１２に示す。図９は従来例の押釦スイッチを示す断面図、図１０は従来例の押釦スイッチを示す平面図、図１１は従来例の押釦スイッチの蓋体を外した状態を示す平面図、図１２は従来例の押釦スイッチの動作状態を示す断面図である。
【０００３】
図９〜図１２において、符号１１はハウジングで、合成樹脂等の絶縁材からなり、収納部１１ａを有する上面開口状の箱型に形成される。収納部１１ａの内底部には金属板からなる一対の固定接点１２ａ、１２ｂがインサート成形等の方法により一部が内底面に表出されて一体に埋設される。ハウジング１１の対向する一対の側面の下方側には前記一対の固定接点１２ａ、１２ｂから導出された外部端子１３ａ、１３ｂが突出して形成される。ハウジング１１の他の一側面には前記収納部１１ａに連通する窓口部１１ｂが設けられる。また、ハウジング１１の四角部には外方へ突出する係合凸部１１ｃが形成される。
【０００４】
前記収納部１１ａの一対の固定接点１２ａ、１２ｂの上には金属板でドーム状に湾曲して反転可能に形成された可動接点１４が載置される。可動接点１４は頂部下面が内底面に表出された一方の固定接点１２ａと一定の間隔を維持して対峙され、外周部が図では省略されているが収納部１１ａの内底面に表出された他方の固定接点１２ｂと接触した状態で配置される。
【０００５】
前記可動接点１４の上面側にはポリアミド樹脂等の絶縁性の樹脂シート材からなる防塵シート１５が配設される。防塵シート１５は外周部が前記ハウジング１１の収納部１１ａ上面に載置されて収納部１１ａの開口を覆うように接着剤などで固着されており、収納部１１ａ内に配設された各接点部へのゴミ、異物等の侵入を防止する。
【０００６】
また、符号１６は操作部材で、合成樹脂等の絶縁材からなり、前記ハウジング１１の窓口部１１ｂから突出する押圧部１６ａと、押圧部１６ａから前記収納部１１ａ内に突出して形成された作動部１６ｂと、作動部１６ｂの周りに設けた開口部１６ｃを介して前記作動部１６ｂの両側部及び後部を囲むように押圧部１６ａに接続して形成されたスライド部１６ｄとを有する。操作部材１６は前記収納部１１ａに配設された防塵シート１５の上面側に配置され、押圧部１６ａが前記ハウジング１１の窓口部１１ｂから突出されると共に、作動部１６ｄの自由端である当接部１６ｅが前記防塵シート１５を挟んで前記可動接点１４の頂部上面に対向して配設され、スライド部１６ｄが前記収納部１１ａ内に摺動可能に収納される。
【０００７】
さらに、符号１７は蓋体で、金属板を打ち抜き折り曲げることにより形成されており、前記ハウジング１１の上部に取り付けられて収納部１１ａを覆うように平板状に形成された上板１７ａと、上板１７ａの四角部から略直角に折り曲げられ、Ｌ字状に下方に垂下された４個の取付脚とを有する。取付脚の先端には係止片が設けられ、この係止片を前記ハウジング１１の四角部に設けられた前記係止凸部１１ｃに係止することにより蓋体１７が前記ハウジング１１上部に取り付けられる。
【０００８】
前記上板１７ａの中央部には前記作動部１６ｂの当接部１６ｅと当接してこの作動部１６ｂを前記可動接点１４の押圧方向へ案内する案内部が切り起こしで形成される。案内部は、上板１７ａの板面を前記ハウジング１１の収納部１１ａ内へ前記操作部材１６の押圧方向に沿って折り曲げられた略４５度の斜面からなる傾斜部１７ｂと、傾斜部１７ｂの両側部に連続して設けられると共に、上板１７ａと接続された略三角形状の一対の接続部１７ｃとから形成される。前記蓋体１７が前記ハウジング１１の上部に取り付けられた際には前記傾斜部１７ｂ及び接続部１７ｃが、前記操作部材１６のスライド部１６ｄに設けられた開口部１６ｃ内に位置して配置される。この時、前記傾斜部１７ｂが操作部材１６の作動部１６ｂの当接部１６ｅに対向して配置される。
【０００９】
上記構成の従来例の押釦スイッチでは図９に示す自由状態において、操作部材１６は作動部１６ｂの当接部１６ｅが防塵シート１５を介して可動接点１４の頂部上面に当接される。そして、可動接点１４が有する上方への弾性付勢力と、蓋体１７の傾斜部１７ｂとの相乗作用により、紙面左方向（押圧部１６ａの押圧方向とは逆方向）に付勢されて押圧部１６ａが外方へ突出される。この時、可動接点１４は外周部が固定接点１２ｂと接触し、頂部下面が固定接点１２ａと離間しており、スイッチはオフ状態である。
【００１０】
図９に示す自由状態から押圧部１６ａが紙面右方向へ押圧されると、図１２に示すように、作動部１６ｂの当接部１６ｅが蓋体１７の傾斜部１７ｂに沿って紙面下方向（押圧部６ａの押圧方向とは直交する下方向）に案内され、防塵シート１５を介して可動接点１４の頂部上面を押圧する。これにより、可動接点１４が下方へ反転して頂部下面が固定接点１２ａと接触し、固定接点１２ａと１２ｂが導通接続され、スイッチがオンになる。
【００１１】
図１２に示す動作状態から押圧部１６ａの押圧が解除されると、可動接点１４は元の自由状態に戻って頂部下面が固定接点１２ａから離され、固定接点１２ａと１２ｂの導通が断たれ、スイッチがオフになる。そして、この時に付勢力で作動部１６ｂの当接部１６ｅは蓋体１７の傾斜部１７ｂに沿って紙面左方向に付勢されて押圧部１６ａが外方へ突出し、図９に示す自由状態に戻る。
【特許文献１】特開２００６−２４４９７７号公報
【発明の開示】
【発明が解決しようとする課題】
【００１２】
従来の押釦スイッチでは操作部材の押圧部の押圧を可動接点方向に変換する傾斜部を蓋体の天板中央部を切り起こすことで形成しているため、傾斜部と可動接点との間に絶縁距離をとる必要があり、押釦スイッチの低背化が構造的に図りにくい。また、蓋体の天板中央部に孔が開き、ハウジングの収納部の開口を防塵シートで覆い、収納部内に配設された各接点部へのゴミ、異物等の侵入を防止する防塵措置をとる必要があり、防塵措置によって押釦スイッチの動作感触を損うと共に、部品点数が多くなりコスト及び組み立て性に問題があった。
【００１３】
本発明は上記のような問題に鑑みてなされたもので、その目的は、良好な動作感触を得ることができ、薄形、かつ、安価で組み立て容易な横押しタイプの押釦スイッチを提供することにある。
【００１４】
また、従来の押釦スイッチは１動作タイプであるが、近年、携帯型電子機器の小形・薄型化に加えて多機能化が進む中で２段動作タイプの押釦スイッチが強く求められている。そこで、本発明の他の目的は、良好な動作感触を得ることができ、薄形、かつ、安価で組み立て容易な２段動作の横押しタイプの押釦スイッチを提供することにある。
【課題を解決するための手段】
【００１５】
上記目的を達成するための請求項１に記載の発明は、収納部を有する絶縁性のハウジングと、前記収納部の底部に設けられた固定接点と、前記固定接点の上に設置された可動接点と、前記収納部に摺動可能に収納され、前記ハウジングの側部より外部へ突出する押圧部及びこの押圧部から前記収納部内に突出する片持ち梁構造の作動部を有する絶縁性の操作部材と、前記収納部に収納され、前記操作部材を前記押圧部の押圧方向に移動案内する絶縁性のガイド部材と、前記ハウジングに取り付けられて前記収納部を覆う金属板製の蓋体とを備えた押釦スイッチであって、前記ガイド部材が、前記作動部と向き合って突出する駆動部を有し、前記駆動部が、前記作動部の先端側に前記蓋体側から当接して前記押圧部の押圧を可動接点方向に変換する傾斜部を設けることを特徴とする。
【００１６】
上記のように構成した請求項１に記載の発明では、操作部材の押圧部の押圧を可動接点方向に変換する傾斜部を絶縁性のガイド部材の駆動部に設けるので、傾斜部と可動接点との間の絶縁距離を可及的に小さくする又はなくすことも可能で、押釦スイッチの低背化を図ることができる。また、従来の押釦スイッチのような防塵措置をとる必要がなく、押釦スイッチの動作感触の向上を図ることができると共に、部品点数の削減によってコストの低下及び組み立て性の向上を図ることができる。さらに、蓋体にかかる押圧荷重を駆動部を介してより広い面積に分散させることができ、押圧荷重によって蓋体が変形しにくく、押釦スイッチの耐久性の向上を図ることができる。
【００１７】
請求項２に記載の発明は、請求項１に記載の発明に、前記ガイド部材が、前記押圧部の押圧方向に沿って延設するガイド部を有し、前記操作部材が、前記押圧部の押圧方向に沿って延設し、前記ガイド部の上で前記押圧部の押圧方向に摺動するスライド部を有する構成が付加されたものである。
【００１８】
このような付加構成により、押釦スイッチの組み立てにあたり、蓋体をハウジングに取り付ける際、操作部材を押えてそのスライド部によってガイド部材のガイド部を押えることによって、操作部材とガイド部材の両者をハウジングの収納部に保持することができ、蓋体をハウジングに取り付けやすく、さらなる押釦スイッチの組み立て性の向上を図ることができる。
【００１９】
請求項３に記載の発明は、請求項１又は請求項２に記載の発明に、前記可動接点はドーム状金属板からなり、該可動接点が前記固定接点の上に上下２段に設置され、上側可動接点の外周部の底部側及び下側可動接点の外周部と中心部の底部側の３箇所に異なる固定接点を設けた構成が付加されたものである。
【００２０】
このような付加構成により、２段動作の押釦スイッチを実現することができる。
【発明の効果】
【００２１】
以上のように本発明によれば、良好な動作感触を得ることができ、薄形、かつ、安価で組み立て容易な横押しタイプの押釦スイッチを提供することができる。また、良好な動作感触を得ることができ、薄形、かつ、安価で組み立て容易な２段動作の横押しタイプの押釦スイッチを提供することができる。
【発明を実施するための最良の形態】
【００２２】
以下、本発明の一実施の形態を図面に基づいて説明する。図１は本発明の一実施の形態による押釦スイッチを示す断面図、図２は図１のＡ部拡大図、図３は本発明の一実施の形態による押釦スイッチの分解状態を示す斜視図、図４は本発明の一実施の形態による押釦スイッチを裏返しにした状態の分解状態を示す斜視図、図５は本発明の一実施の形態による押釦スイッチの外観を示す斜視図、図６は本発明の一実施の形態による押釦スイッチの蓋体を外した状態を示す平面図である。なお、以下の説明では図３における矢印ａ−ｂ方向を押釦スイッチの前後方向、矢印ｃ−ｄ方向を押釦スイッチの左右方向、矢印ｅ−ｆ方向を押釦スイッチの上下方向として説明する。
【００２３】
図１〜図６において、符号１はハウジングであり、合成樹脂等の絶縁材からなり、収納部１ａを有する上面開口状の箱型に形成される。ハウジング１の内底面１ｂの４つの角部には一段下げられた浅い上側可動接点支え凹部１ｃが設けられ、各上側可動接点支え凹部１ｃより内側のハウジング１の内底面１ｂにはさらに深い略円形の下側可動接点収納凹部１ｄが設けられ、下側可動接点収納凹部１ｄの外周部には前後の上側可動接点支え凹部１ｃの間に突出する左右の曲げ部収納部１ｅが設けられる。また、前記ハウジング１の前後の側壁には切り欠き部１ｆ，１ｇが設けられ、前記ハウジング１の４つの角部外面には係合凹部１ｈが設けられ、各係合凹部１ｈの上側には下に向かって漸次外側に拡がる傾斜状のガイド部１ｉが設けられる。さらに、前記ハウジング１の外底面の外周部には複数の浅い外部接続端子用凹部１ｊが設けられると共に、各外部接続端子用凹部１ｊの内側には実装時の位置決めピン１ｋが突設される。
【００２４】
前記ハウジング１はインサート成形により第１，第２，第３の固定端子２，３，４と一体に成形される。第１，第２，第３の固定端子２，３，４は金属板を打ち抜き及び曲げ加工することによって形成され、ハウジング１の底部に絶縁状態で埋設固定される。第１固定端子２は一部を前記上側可動接点支え凹部１ｃに略面一に露出して第１固定接点としてのコモン接点２ａを形成する。第２固定端子３はその一部を前記下側可動接点収納凹部１ｄの底面外周部で、ハウジング１の対角方向に配置された他の２つの前記上側可動接点支え凹部１ｃの内側の２箇所に略面一に露出して、第２固定接点としての第１選択接点３ａを形成する。第３固定端子４は、その一部を前記下側可動接点収納凹部１ｄの底面中心部に略面一に露出して、第３固定接点としての第２選択接点４ａを形成する。また、第１，第２，第３の固定端子２，３，４はそれぞれ、その他の一部を所定の前記外部接続端子用凹部１ｊに略面一に露出して、前記コモン接点２ａ，前記第１選択接点３ａ，第２選択接点４ａと導通のある第１外部接続端子２ｂ，第２外部接続端子３ｂ、第３外部接続端子４ｂを形成する。
【００２５】
図１〜図４において、符号５は上側可動接点、符号６は下側可動接点であり、上側可動接点５及び下側可動接点６は金属板を打ち抜き及び曲げ加工することによって形成された反転可能なドーム状金属板からなる。上面が凸、下面が凹となるドーム状の上側可動接点５は頂部（中心部）に上面が凸、下面が凹となる載頭円錐状で後述する蓋体方向（上方向）に突出するさらなる凸部５ａを有すると共に、外周部から左右方向に突出する前後一対の脚部５ｂが設けられる。上面が凸、下面が凹となるドーム状の下側可動接点６には外周部から左右方向に突出する曲げ部６ａが設けられる。各曲げ部６ａは上方に向かって開口するコ字状に形成される。上側可動接点５は４本の前記各脚部５ｂを介して前記上側可動接点支え凹部１ｃで支持され、下側可動接点６は外周部が前記下側可動接点収納凹部１ｄの底面外周部で支持され、前記ハウジング１の収納部１ａの底部に一定の隙間を設けて上側可動接点５及び下側可動接点６が上下２段に設置される。設置状態では上側可動接点５は脚部５ｂを介してコモン接点２ａと常時接触し、下側可動接点６は外周部が第１選択接点３ａと常時接触すると共に、中心部がその下側の前記第２選択接点４ａと一定の隙間を設けて対向する。下側可動接点６の各曲げ部６ａは前記曲げ部収納部１ｅに嵌り込み、上部をハウジング１の内底面１ｂに臨ませる。
【００２６】
図１〜図５において、符号７は蓋体であり、金属板を打ち抜き及び曲げ加工することによって形成される。蓋体７は前記ハウジング１の上部に取り付けられ、前記収納部１ａを覆うように矩形平板状に形成された上板７ａと、上板７ａの前後側縁の両端部から折り曲げで垂下されたＬ字状の取付脚７ｂと、後側の左右取付脚７ｂの間に一体に形成され、前記上板７ａの後側縁から折り曲げで後側の左右取付脚７ｂの間に垂下され、前記ハウジング１の後側の切り欠き部１ｇを覆う後側板７ｃと、上板７ａの左右側縁から折り曲げで垂下され、前記ハウジング１の左右外側面に重ね合わせる左右側板７ｄとを有する。前記各取付脚７ｂの先端側には係止片７ｆが設けられる。
【００２７】
蓋体７は押釦スイッチの組み立て最終段階に上板７ａをハウジング１の上部に取り付けて前記収納部１ａを覆う際に、各取付脚７ｂの先端側（係止片７ｆ）をハウジング１の各ガイド部１ｉに摺接させながら外側に押し広げた後、各ガイド部１ｉを乗り越えた時点で元に弾性復帰させ、ハウジング１の各係合凹部１ｈに各係止片７ｆを係合させることにより、ハウジング１に一体に結合される。
【００２８】
図１〜図６において、符号８は操作部材（押釦）であり、合成樹脂等の絶縁材からなり、前記ハウジング１の前側の切り欠き部１ｆから外部へ突出する押圧部８ａと、押圧部８ａから前記収納部１ａ内に突出する片持ち梁構造の作動部８ｂと、前記押圧部８ａから前記作動部８ｂの左右両外側で前記収納部１ａ内に突出する左右のスライド部８ｃとを有する。左右のスライド部８ｃは外側下角部が四角く切り欠かれてＬ形の断面形状を有する。操作部材８は前記ハウジング１の収納部１ａの底部に上下２段で設置された前記可動接点５，６の上側に配置され、押圧部８ａが前記ハウジング１の前側の切り欠き部１ｆから外部へ突出され、作動部８ｂと左右のスライド部８ｃの上面が前記蓋体７の上板７ａに摺動自在に当接して、作動部８ｂの自由端側である先端側が前記上側可動接点５の頂部に対向して配置され、左右のスライド部８ｃが前記収納部１ａ内の左右両側部で押圧部８ａの押圧方向に沿って延設されて収納される。
【００２９】
前記作動部８ｂは先端側が固定端側（支点側）である根元側より幅広に形成され、作動部８ｂの先端側上部にはその先端側上角部を面取りて形成された略４５°の傾斜面からなる第１傾斜部８ｄが設けられ、作動部８ｂの先端側下部にはその先端側下角部を面取りして形成された略２５°の傾斜面でなる第２傾斜部８ｅが設けられ、第２傾斜部８ｅの中央部に可動接点押圧部８ｆを下向きに突出して形成する。可動接点押圧部８ｆの表面は前記上側可動接点５の凸部５ａの周辺部上面から凸部５ａの周側面に当接するよう円弧状に湾曲形成される。
【００３０】
図１〜図４，図６において、符号９はガイド部材であり、合成樹脂等の絶縁材からなり、前記ハウジング１の収納部１ａ内の外周部に収納される周辺部９ａを有する。周辺部９ａはコ字形に形成され、前記ハウジング１の後側の側壁に沿って収納部１ａ内の後部に配置される連結部９ｂと、連結部９ｂの左右両端部から前記ハウジング１の左右側の側壁に沿って前方へ延設されて収納部１ａ内の左右両側部に配置される左右のガイド部９ｃを設ける。また、周辺部９ａは下面がハウジング１の内底面１ｂに当接支持され、外周側面がハウジング１の側壁内面に当接され、上面が前記蓋体７の上板７ａで押さえられて、前記収納部１ｂ内の外周部に位置固定されて収納される。左右のガイド部９ｃは内側下角部が四角く切り欠かれてＬ形の断面形状を有する。左右のガイド部９ｃの下部水平部分の上に左右の前記スライド部８ｃの上部水平部分を重ね合わせて、左右のガイド部９ｃの垂直部分によって左右の前記スライド部８ｃの左右方向の移動を規制すると共に、左右のガイド部９ｃの下部水平部分とそれに対向する蓋体７の上板７ａとによって左右の前記スライド部８ｃの上下方向の移動を規制し、左右の前記スライド部８ｃの前後方向の移動のみを許容して、周辺部９ａの左右のガイド部９ｃによって前記操作部材８を前記押圧部８ａの押圧方向に沿って前後方向に移動案内する。また、左右のガイド部９ｃは前記ハウジング１の各上側可動接点支え凹部１ｃ及び左右の曲げ部収納部１ｅの開放上面を覆い、前記各脚部５ａを押えて前記上側可動接点５の浮き上がりを防止すると共に、前記左右の曲げ部６ａを押えて前記下側可動接点６の浮き上がりを防止する。
【００３１】
前記ガイド部材９は前記作動部８ｂと向き合うように周辺部９ａの連結部９ｂから左右のガイド部９ｃの間に突出する駆動部９ｄを有する。駆動部９ｄの左右方向の幅は前記作動部８ｂの幅広に形成された左右方向の幅と略同じに形成され、上下方向の厚みはハウジング１の内底面１ｂから上の高さすなわち前記収納部１ａの高さと略同じに形成され、駆動部９ｄの上面が周辺部９ａの上面と面一に形成されて前記蓋体７の上板７ａで押さえられる。また、駆動部９ｄの下面には前記収納部１ａの底部に突出する凸形状すなわち上側可動接点５のドーム形状とその頂部のさらなる凸形状を逃がすための（干渉をなくすための）凹部が設けられる。凹部には駆動部９ｄの基端側から先の下面全面に形成されて上側可動接点５のドーム形状を逃がす浅い第１凹部９ｅと、駆動部９ｄの先端側下面に形成されて上側可動接点５のドーム形状の頂部に有するさらなる凸形状すなわち凸部５ａを逃がす深い第２凹部９ｆを設ける。第２凹部９ｆは下方と作動部方向（前方向）にも開放される。駆動部９ｄは上面が前記蓋体７の上板７ａで押さえられて、上側可動接点５のドーム形状とその頂部のさらなる凸部５ａ形状を第１凹部９ｆ及び第２凹部９ｇを介して自身（駆動部９ｄ）の厚み内に逃がしながら、前記収納部１ａ内の後部から前方へ突出されて上側可動接点５の上側に配置され、駆動部９ｄの先端側が前記上側可動接点５の頂部に対向して配置される。
【００３２】
そして、前記駆動部９ｄの先端側に前記作動部８ｂの第１傾斜部８ｄに蓋体７の上板７ａ側（上側）から当接して前記押圧部８ａの押圧を可動接点方向（下方）に変換する第１傾斜部８ｄと略同じ傾きの第３傾斜部９ｇを設ける。
【００３３】
本実施の形態による押釦スイッチの組み立ては、図３に示すように、ハウジング１の収納部１ａの底部に上側可動接点５と下側可動接点６を上下２段に設置し、次に操作部材８とガイド部材９とをそれらの先端側を相対させた状態で相互に接近させて、作動部８ｂの第１傾斜部８ｄと駆動部９ｄの第３傾斜部９ｇを当接させると共に、左右のガイド部９ｃの下部水平部分の上に左右のスライド部８ｃの上部水平部分を重ね合わせた状態に組み合わせた操作部材８とガイド部材９を、操作部材８の押圧部８ａをハウジング１の前側の切り欠き部１ｆに嵌め込みながら前記収納部１ａに収納し、最後に蓋体７を上方から被せてハウジング１に取り付けて完了する。
【００３４】
次に、図１，図２，図７，図８を参照して本実施の形態による押釦スイッチの動作を説明する。図７は本発明の一実施の形態による押釦スイッチの１段目の動作状態を示す断面図、図８は本発明の一実施の形態による押釦スイッチの２段目の動作状態を示す断面図である。
【００３５】
操作部材８を操作しない動作前の自由状態では、図１，図２に示すように、上側可動接点５と下側可動接点６はそれぞれが上向きに膨らんだドーム形状の自由状態にあり離間し、上側可動接点５の駆動部９ｄと対向する部分がその駆動部９ｄの下面に有する第１凹部９ｅ内に位置すると共に、上側可動接点５の頂部に有する凸部５ａが駆動部９ｄの先端側に有する第２凹部９ｆ内に位置し、下側可動接点６は中心部が第２選択接点４ａに対し離間対向する。また、操作部材８は自由位置に位置して作動部８ｂが押圧部８ａから略水平に収納部１ａ内に突出支持され、作動部８ｂの第１傾斜部８ｄが駆動部９ｄの第３傾斜部９ｇの上部に当接すると共に、作動部８ｂの可動接点押圧部８ｆが駆動部９ｄの第２凹部９ｆ内に位置する上側可動接点５の凸部５ａの周側面とその周囲の上側可動接点５の頂部上面に当接する。
【００３６】
この自由状態から操作部材８の押圧部８ａを横方向から前方へ押圧すると、図７に示すように、操作部材８が全体的に前方へ移動し、作動部８ｂの第１傾斜部８ｄが駆動部９ｄの第３傾斜部９ｇの上をその傾斜下端側に向かって摺動することにより、押圧部８ａの横方向からの押圧が下直角方向に変換される。これにより、作動部８ｂの先端側が作動部８ｂの撓み変形を伴って押し下げられる。また、作動部８ｂの可動接点押圧部８ｆと駆動部９ｄの第２凹部９ｆ内に位置する上側可動接点５の凸部５ａの周側面が当接しているので、作動部８ｂの先端側の下降しながらの前方への移動に伴って、上側可動接点５の凸部５ａの周側面が作動部８ｂの可動接点押圧部８ｆの表面を傾斜下端側に向けて摺動することにより、押圧部８ａの横方向からの押圧が下直角方向に変換される。これにより、上側可動接点５の凸部５ａが押し下げられる。したがって、上側可動接点５の頂部が、作動部８ｂの先端側の下がり量にさらに上側可動接点５の凸部５ａの下がり量を加えた、押圧部８ａの押圧ストロークよりも長い押圧ストローク（押し下げストローク）で押し下げられる。
【００３７】
そして、上側可動接点５の頂部が押し下げられると、上側可動接点５は下向きに反転動作して、その下側にある下側可動接点６に接触するため、コモン接点２ａと第１選択接点３ａとが上下の可動接点５，６を通して電気的に導通接続され、１段目のスイッチがオンになるすなわち１段目の感触と電気信号を出力する。
【００３８】
続いて、操作部材８の押圧部８ａを横方向からさらに前向へ押圧すると、図８に示すように、操作部材８が全体的にさらに前方へ移動し、作動部８ｂの第１傾斜部８ｄが駆動部９ｄの第３傾斜部９ｇの上をその傾斜下端側に向かってさらに摺動することにより、作動部８ｂの先端側が作動部８ｂのさらなる撓み変形を伴ってさらに押し下げられると共に、作動部８ｂの先端側の下降しながらの前方への移動に伴って、上側可動接点５の凸部５ａの周側面が作動部８ｂの可動接点押圧部８ｆの表面を傾斜下端側に向けてさらに摺動し、ついには上側可動接点５の凸部５ａの上面が作動部８ｂの可動接点押圧部８ｆの表面を摺動し、作動部８ｂの先端側が上側可動接点５の凸部５ａの上に乗り上げることにより、上側可動接点５の凸部５ａがさらに押し下げられる。したがって、上側可動接点５の頂部が、作動部８ｂの先端側のさらなる下がり量にさらに上側可動接点５の凸部５ａのさらなる下がり量を加えた、押圧部８ａの押圧ストロークよりも長い押圧ストロークで押し下げられる。これにより、上側可動接点５の頂部で下側可動接点６の頂部が押し下げられる。
【００３９】
そして、下側可動接点６の頂部が押し下げられると、下側可動接点６は下向きに反転動作して、その下側にある第２選択接点４ａに接触するため、コモン接点２ａと第２選択接点４ａとが上下の可動接点５，６を通して電気的に導通接続され、１段目のスイッチに続いて２段目のスイッチがオンになるすなわち１段目の感触と電気信号の出力に続いて２段目の感触と電気信号を出力する。
【００４０】
なお、操作部材８の押圧部８ａが押圧されて下側可動接点６の頂部と第２選択接点４ａが接触している間は、１段目のスイッチ及び２段目のスイッチのオン状態を保つ。
【００４１】
１段目のスイッチ及び２段目のスイッチのオン状態で、操作部材８の横方向からの押圧を除くと、上下の可動接点５，６がそれぞれ弾性により上向きに反転動作して元の自由状態に戻ると共に、操作部材８の作動部８ｂもその弾性力により自由状態に戻り、これに伴って、操作部材８が自由位置に戻り、図１に示した元の操作部材８を操作しない動作前の自由状態に戻る。この自由状態への復帰時に、下側可動接点６と第２選択接点４ａとの接触が断たれ時点で２段目のスイッチがオフになり、上側可動接点５と下側可動接点６との接触が断たれた時点で１段目のスイッチがオフになる。
【００４２】
上記のように本実施の形態による押釦スイッチは、収納部を有する絶縁性のハウジングと、前記収納部の底部に設けられた固定接点と、前記固定接点の上に設置された可動接点と、前記収納部に摺動可能に収納され、前記ハウジングの側部より外部へ突出する押圧部及びこの押圧部から前記収納部内に突出する片持ち梁構造の作動部を有する絶縁性の操作部材と、前記収納部に収納され、前記操作部材を前記押圧部の押圧方向に移動案内する絶縁性のガイド部材と、前記ハウジングに取り付けられて前記収納部を覆う金属板製の蓋体とを備えた押釦スイッチであって、前記ガイド部材が、前記作動部と向き合って突出する駆動部を有し、前記駆動部が、前記作動部の先端側に前記蓋体側から当接して前記押圧部の押圧を可動接点方向に変換する傾斜部を設ける構成としたもので、操作部材の押圧部の押圧を可動接点方向に変換する傾斜部を絶縁性のガイド部材の駆動部に設けるので、傾斜部と可動接点との間の絶縁距離を可及的に小さくする又はなくすことも可能で、押釦スイッチの低背化を図ることができる。また、従来の押釦スイッチのような防塵措置をとる必要がなく、押釦スイッチの動作感触の向上を図ることができると共に、部品点数の削減によってコストの低下及び組み立て性の向上を図ることができる。さらに、蓋体にかかる押圧荷重（押圧反力）を駆動部を介してより広い面積に分散させることができ、押圧荷重によって蓋体が変形しにくく、押釦スイッチの耐久性の向上を図ることができる。
【００４３】
さらに、前記可動接点がドーム状金属板からなり、頂部に前記蓋体方向に突出する凸部を有し、前記作動部方向と前記可動接点方向に開放され、前記可動接点の凸部を逃がす凹部を設け、前記作動部の先端側を前記駆動部の傾斜部と前記可動接点の凸部に当接させる構成としたもので、可動接点の頂部に有する凸部を駆動部に設けた凹部によって逃がすので、可動接点の凸部によって押釦スイッチの薄型を損なうこともない。さらに、作動部の先端側が傾斜部と凸部を摺動しながら押圧部の押圧ストロークより長い押圧ストロークで可動接点を押圧（押し下げ）するので、傾斜部の長さを小さくして必要な可動接点の押圧ストロークを確保することができ、さらなる押釦スイッチの低背化を実現することができる。
【００４４】
また、前記ガイド部材が、前記押圧部の押圧方向に沿って延設するガイド部を有し、前記操作部材が、前記押圧部の押圧方向に沿って延設し、前記ガイド部の上で前記押圧部の押圧方向に摺動するスライド部を有する構成としたもので、押釦スイッチの組み立てにあたり、蓋体をハウジングに取り付ける際、操作部材を押えてそのスライド部によってガイド部材のガイド部を押えることによって、操作部材とガイド部材の両者をハウジングの収納部に保持することができ、蓋体をハウジングに取り付けやすく、さらなる押釦スイッチの組み立て性の向上を図ることができる。
【００４５】
また、前記可動接点が前記固定接点の上に上下２段に設置され、上側可動接点の外周部の底部側及び下側可動接点の外周部と中心部の底部側の３箇所に異なる固定接点を設けた構成としたもので、２段動作の押釦スイッチを実現することができる。
【００４６】
したがって、本実施の形態による押釦スイッチにおいては、良好な動作感触を得ることができ、薄形、かつ、安価で組み立て容易な横押しタイプの押釦スイッチを得ることができる。また、良好な動作感触を得ることができ、薄形、かつ、安価で組み立て容易な２段動作の横押しタイプの押釦スイッチを得ることができる。
【図面の簡単な説明】
【００４７】
【図１】本発明の一実施の形態による押釦スイッチを示す断面図である。
【図２】図１のＡ部拡大図である。
【図３】本発明の一実施の形態による押釦スイッチの分解状態を示す斜視図である。
【図４】本発明の一実施の形態による押釦スイッチを裏返しにした状態の分解状態を示す斜視図である。
【図５】本発明の一実施の形態による押釦スイッチの外観を示す斜視図である。
【図６】本発明の一実施の形態による押釦スイッチの蓋体を外した状態を示す平面図である。
【図７】本発明の一実施の形態による押釦スイッチの１段目の動作状態を示す断面図である。
【図８】本発明の一実施の形態による押釦スイッチの２段目の動作状態を示す断面図である。
【図９】従来例の押釦スイッチを示す断面図である。
【図１０】従来例の押釦スイッチを示す平面図である。
【図１１】従来例の押釦スイッチの蓋体を外した状態を示す平面図である。
【図１２】従来例の押釦スイッチの動作状態を示す断面図である。
【符号の説明】
【００４８】
１  ハウジング
１ａ  収納部
２ａ  コモン接点（固定接点）
３ａ  第１選択接点（固定接点）
４ａ  第２選択接点（固定接点）
５  上側可動接点（可動接点）
６  下側可動接点（可動接点）
７  蓋体
８  操作部材
８ａ  押圧部
８ｂ  作動部
８ｃ  スライド部
９  ガイド部材
９ｃ  ガイド部
９ｄ  駆動部
９ｇ  傾斜部
【図１】
2009070671.tif 000003
【図２】
2009070671.tif 000004
【図３】
2009070671.tif 000005
【図４】
2009070671.tif 000006
【図５】
2009070671.tif 000007
【図６】
2009070671.tif 000008
【図７】
2009070671.tif 000009
【図８】
2009070671.tif 000010
【図９】
2009070671.tif 000011
【図１０】
2009070671.tif 000012
【図１１】
2009070671.tif 000013
【図１２】
2009070671.tif 000014